(57)【特許請求の範囲】
【請求項１】
第１装置が介在する第１経路で第１無線通信を行う第１通信部と、
公衆網を利用した経路であって、前記第１経路とは異なる第２経路で第２装置と、前記第１無線通信よりも高速にデータの送受信が可能な第２無線通信を行う第２通信部と、
制御部とを備え、
前記制御部は、
前記第２装置からの指示により前記第１装置から送信された前記第２無線通信の起動を要求する起動要求信号が前記第１通信部で受信されると、前記第２通信部を起動し、
前記第２通信部が、起動後、蓄積装置に前記第２装置により蓄積された蓄積データを受信すると、前記第２経路で前記蓄積データの内容に応じて前記第２装置との前記第２無線通信を前記第２通信部に行わせる
ことを特徴とする通信装置。
【請求項２】
前記蓄積データは、前記第２通信部で行われる前記第２無線通信の通信種別および通信先を特定するための通信情報を含んでおり、
前記制御部は、前記通信情報の内容を解析して前記通信種別および前記通信先を特定する
ことを特徴とする請求項１に記載の通信装置。
【請求項３】
前記制御部は、前記通信情報に通信先のＩＰアドレスを表すアドレス情報が含まれている場合には、前記通信先を前記アドレス情報で表される前記ＩＰアドレスとし、前記通信種別をパケット通信とする
ことを特徴とする請求項２に記載の通信装置。
【請求項４】
前記制御部は、前記通信情報に通信先の電話番号を表す電話番号情報が含まれている場合には、前記通信先を前記電話番号情報で表される前記電話番号とし、前記通信種別をショートメールサービスによるメール通信とする
ことを特徴とする請求項２に記載の通信装置。
【請求項５】
前記制御部は、前記通信情報に通信先の電話番号を表す電話番号情報が含まれている場合には、前記通信先を前記電話番号情報で表される前記電話番号とし、前記通信種別を音声通話とする
ことを特徴とする請求項２に記載の通信装置。
【請求項６】
前記蓄積データは、自装置に関する契約内容の変更を示す契約変更情報を含み、
前記制御部は、前記契約変更情報に基づいて、契約内容を変更する
ことを特徴とする請求項１に記載の通信装置。
【請求項７】
請求項１乃至請求項６のいずれか一項に記載の通信装置と、前記第１装置とを備える
ことを特徴とする通信システム。
【請求項８】
第１装置が介在する第１経路で第１無線通信を行う第１通信部と、公衆網を利用した経路であって、前記第１経路とは異なる第２経路で第２装置と、前記第１無線通信よりも高速にデータの送受信が可能な第２無線通信を行う第２通信部とを用いて、
前記第２装置からの指示により前記第１装置から送信された前記第２無線通信の起動を要求する起動要求信号が前記第１通信部で受信されると、前記第２通信部を起動し、前記第２通信部が、起動後、蓄積装置に前記第２装置により蓄積された蓄積データを受信すると、前記第２経路で前記蓄積データの内容に応じて前記第２装置との前記第２無線通信を前記第２通信部に行わせる
ことを特徴とする通信方法。
【請求項９】
第１装置が介在する第１経路で第１無線通信を行う第１通信部と、公衆網を利用した経路であって、前記第１経路とは異なる第２経路で第２装置と前記第１無線通信よりも高速にデータの送受信が可能な第２無線通信を行う第２通信部とに付随したコンピュータに、前記第２装置からの指示により前記第１装置から送信された前記第２無線通信の起動を要求する起動要求信号が前記第１通信部で受信されると、前記第２通信部を起動し、前記第２通信部が、起動後、蓄積装置に前記第２装置により蓄積された蓄積データを受信すると、前記第２経路で前記蓄積データの内容に応じて前記第２装置との前記第２無線通信を前記第２通信部に行わせる制御部を
実現させるためのプログラム。
【発明の詳細な説明】
【技術分野】
【０００１】
本発明は、一般に通信装置、通信システム、通信方法およびプログラムに関し、より詳細には公衆網を介して通信を行う通信装置、通信システム、通信方法およびプログラムに関する発明である。
【背景技術】
【０００２】
近年、省電力効果を得ることができるコードレス電話装置が提案されている（例えば、特許文献１参照）。
【０００３】
特許文献１に記載のコードレス電話装置は、親機と子機とを備える。
【０００４】
親機は、所定の無線通信方式で子機と音声データの送受信を行う親機側無線通信手段と、電話回線側から起動情報を検出する起動情報検出手段と、上記無線通信方式とは異なる特定通信方式で子機と通信を行う親機側補助通信手段とを備えている。
【０００５】
子機は、上記無線通信方式により親機と音声データの送受信を行う子機側無線通信手段と、上記特定通信方式で親機と通信を行う子機側補助通信手段とを備えている。
【０００６】
このコードレス電話装置では、通常、親機側無線通信手段および子機側無線通信手段は停止している。起動情報検出手段で起動情報が検出されると、親機は、親機側無線通信を起動し、かつ親機側補助通信手段で子機側無線通信手段を起動させるコマンドを送信する。子機は、子機側補助通信手段でコマンドが受信されると、子機側無線通信手段を起動する。
【０００７】
親機側無線通手段および子機側無線通信手段が起動すると、子機側無線通信手段は、所定の無線通信方式で親機側無線通信手段を介して電話の発信元との間で音声データの送受信を行う。
【０００８】
このように、特許文献１に記載のコードレス電話装置では、通常、親機側無線通信手段および子機側無線通信手段を停止させ、通話時にこれらの手段を起動することで、省電力化を図っている。
【先行技術文献】
【特許文献】
【０００９】
【特許文献１】特開２０１３−１６８８４号公報
【発明の概要】
【発明が解決しようとする課題】
【００１０】
特許文献１に記載の技術では、子機側無線通信手段の起動が完了するまでの間、つまり通信が可能となるまでの間、親機から子機側無線通信手段に対する要求（コマンド）を、親機側補助通信手段と子機側補助通信手段との間で送受信する必要がある。子機側補助通信手段は、受信した要求（コマンド）の内容に応じて、自身が処理するのか自身以外が処理するのかの判別や、自身以外が処理する場合にはその宛先の検出等を行う。子機側補助通信手段が、受信した要求（コマンド）を子機側無線通信手段へ出力すると判別した場合には、子機側無線通信手段の起動が完了した後に、受信した要求（コマンド）を出力する。子機側無線通信手段は、子機側補助通信手段からの要求（コマンド）を受け取ると、その内容を解釈して、通話等の通信を実行する。
【００１１】
つまり、子機側無線通信手段で処理されるべき要求（コマンド）は、子機側無線通信手段による処理だけでなく、子機側補助通信手段での処理が必要となり、子機は、子機側無線通信手段の起動後、即座に通信を行うことができない場合がある。
【００１２】
そこで、本発明は、上記事由に鑑みてなされており、その目的は、停止していた通信機能を起動させた後、即座に通信を行うことができる通信装置、通信システム、通信方法およびプログラムを提供することにある。
【課題を解決するための手段】
【００１３】
本発明の通信装置は、第１装置が介在する第１経路で第１無線通信を行う第１通信部と、公衆網を利用した経路であって、前記第１経路とは異なる第２経路で第２装置と、前記第１無線通信よりも高速にデータの送受信が可能な第２無線通信を行う第２通信部と、制御部とを備え、前記制御部は、前記第２装置からの指示により前記第１装置から送信された前記第２無線通信の起動を要求する起動要求信号が前記第１通信部で受信されると、前記第２通信部を起動し、前記第２通信部が、起動後、蓄積装置に前記第２装置により蓄積された蓄積データを受信すると、前記第２経路で前記蓄積データの内容に応じて前記第２装置との前記第２無線通信を前記第２通信部に行わせることを特徴とする。
【００１４】
また、本発明の通信システムは、上記通信装置と、前記第１装置とを備えることを特徴とする。
【００１５】
また、本発明の通信方法は、第１装置が介在する第１経路で第１無線通信を行う第１通信部と、公衆網を利用した経路であって、前記第１経路とは異なる第２経路で第２装置と、前記第１無線通信よりも高速にデータの送受信が可能な第２無線通信を行う第２通信部とを用いて、前記第２装置からの指示により前記第１装置から送信された前記第２無線通信の起動を要求する起動要求信号が前記第１通信部で受信されると、前記第２通信部を起動し、前記第２通信部が、起動後、蓄積装置に前記第２装置により蓄積された蓄積データを受信すると、前記第２経路で前記蓄積データの内容に応じて前記第２装置との前記第２無線通信を前記第２通信部に行わせることを特徴とする。
【００１６】
また、本発明のプログラムは、第１装置が介在する第１経路で第１無線通信を行う第１通信部と、公衆網を利用した経路であって、前記第１経路とは異なる第２経路で第２装置と、前記第１無線通信よりも高速にデータの送受信が可能な第２無線通信を行う第２通信部とに付随したコンピュータに、前記第２装置からの指示により前記第１装置から送信された前記第２無線通信の起動を要求する起動要求信号が前記第１通信部で受信されると、前記第２通信部を起動し、前記第２通信部が、起動後、蓄積装置に前記第２装置により蓄積された蓄積データを受信すると、前記第２経路で前記蓄積データの内容に応じて前記第２装置との前記第２無線通信を前記第２通信部に行わせる制御部を実現させるためのプログラムである。
【発明の効果】
【００１７】
上述した通信装置、通信システム、通信方法およびプログラムでは、停止していた通信機能を起動させた後、即座に通信を行うことができる。
【図面の簡単な説明】
【００１８】
【図１】実施形態１の通信システムの構成および通信装置の構成を説明する図である。
【図２】実施形態１の通信システムの動作を説明するシーケンス図である。
【図３】実施形態１で在圏要求処理中にメールを受信した場合の第２通信部の動作を説明する図である。
【図４】実施形態１の変形例１の通信システムの動作を説明するシーケンス図である。
【図５】実施形態１の変形例１で在圏中にメールを受信した場合の第２通信部の動作を説明する図である。
【図６】実施形態２の通信システムの構成および通信装置の構成を説明する図である。
【図７】実施形態２の通信処理における通信処理の動作を説明する流れ図である。
【図８】実施形態２の変形例１の通信システムの構成および通信装置の構成を説明する図である。
【図９】実施形態２の変形例１の通信システムの動作を説明するシーケンス図である。
【発明を実施するための形態】
【００１９】
１  実施形態１
ここでは、本実施形態の通信システム１０について、図１および図２を参照しながら説明する。
【００２０】
１．１  構成
通信システム１０は、図１に示すように、通信装置２０と制御装置３０（第１装置）とサーバ装置４０（第２装置）と蓄積装置５０とを備えている。
【００２１】
通信装置２０および制御装置３０は、例えば同一の住宅に設置されており、通信システム１０は、通信装置２０および制御装置３０が設置された住宅の住居者の状況（安否など）をチェックするシステムである。
【００２２】
通信装置２０は、例えば電池で駆動し、制御装置３０は、商用電源から電力の供給を受けて駆動する。また、通信装置２０と制御装置３０との間では、電波を伝送媒体とする無線通信（第１無線通信）が行われている。ここで、通信装置２０と制御装置３０との間の第１無線通信では、データ量が比較的小さいデータがパケット化され無線で送受信される。第１無線通信は、後述する公衆網１２を介した通信よりも通信速度が低速な無線通信方式（第１通信方式）を用いた通信である。
【００２３】
制御装置３０は、図１に示すように、インターネットといったネットワーク１１を介してサーバ装置４０と接続している。なお、ネットワーク１１は、インターネットに限定されない。例えば、ネットワーク１１は、制御装置３０とサーバ装置４０との間で通信を可能とする技術であればよい。
【００２４】
通信装置２０は、図１に示す公衆網１２と接続してサーバ装置４０と通信を行うセルラー通信機能を有している。ここで、公衆網１２は、例えば携帯電話機の通信に用いられる携帯電話回線網（３Ｇ回線網、４Ｇ回線網）である。また、セルラー通信機能は、通常は起動しておらず、サーバ装置４０からの要求により起動される。セルラー通信機能は、公衆網１２を介して通話を行う通話機能と、パケット化されたデータ（音声データ、画像データ）を公衆網１２を介して送受信するパケット通信機能とを備えている。
【００２５】
サーバ装置４０は、ネットワーク１１を介して制御装置３０に、公衆網１２を介した第２無線通信（セルラー通信）の開始を指示するセルラー通信開始指示を送信する。ここで、セルラー通信は、上述した第１通信方式を用いた通信よりも通信速度が高速で、第１通信方式で用いるデータよりもデータ量が大きいデータの送受信が可能な通信方式（第２通信方式）を用いた通信である。また、サーバ装置４０は、セルラー通信開始指示の送信に先立って、セルラー通信に必要な情報（通信情報）を本文に記載し、宛先を通信装置２０とするメール（蓄積データ）を、ショートメールサービス（ＳＭＳ）を利用して、公衆網１２を介して送信する。ここで、通信情報は、通話機能による通信を行うことを示す情報およびパケット通信機能による通信を行うことを示す情報のいずれかを含んでいる。通話機能による通信を行うことを示す情報としては、例えばサーバ装置４０の電話番号を表す電話番号情報である。また、パケット通信機能による通信を行うことを示す情報としては、例えばサーバ装置４０のＩＰアドレスを表すアドレス情報である。
【００２６】
ショートメールサービスでは、メールの宛先である装置がメールを受信する状態でない場合、例えばメールを受信する機能（セルラー通信機能）が起動していない場合には、メールは蓄積装置５０に蓄積される。本実施形態では、通信装置２０では、通常セルラー機能は起動していないので、ショートメールサービスを利用してサーバ装置４０から送信されたメールは、一旦蓄積装置５０に蓄積される。
【００２７】
制御装置３０は、サーバ装置４０からセルラー通信開始指示を受信すると、セルラー通信機能の起動を要求する起動要求情報を、上述した第１無線通信で通信装置２０へ送信する。
【００２８】
通信装置２０は、起動要求情報を制御装置３０から受信すると、セルラー通信機能を起動し、公衆網１２に接続する。通信装置２０は、公衆網１２に接続すると、ショートメールサービスを利用して、蓄積装置５０に蓄積されたサーバ装置４０からのメールを基地局１３を介して受信する。通信装置２０は、通信情報の内容に応じて、通話機能による通信およびパケット通信機能による通信のいずれかを選択し、選択した機能を用いて、サーバ装置４０と通信を行う。
【００２９】
このように、通信装置２０は、図１に示すように、制御装置３０が介在した第１経路１５でサーバ装置４０と通信を行うともに、公衆網１２を利用した経路であって、第１経路１５とは異なる第２経路１６でサーバ装置４０と通信を行う。
【００３０】
これにより、サーバ装置４０は、住居者の音声および画像といったデータを、セルラー通信を利用して通信装置２０から取得することができる。
【００３１】
次に、通信装置２０、制御装置３０、サーバ装置４０および蓄積装置５０について詳細に説明する。
【００３２】
（１）通信装置２０
通信装置２０は、図１に示すように、第１通信部２１、第２通信部２２、制御部２３、音声入力部２４、撮影部２５、音声出力部２６および表示部２７を備える。通信装置２０は、プロセッサやメモリを有しており、制御部２３の機能は、メモリに記憶されているプログラムをプロセッサが実行することにより実現される。
【００３３】
第１通信部２１は、アンテナ２１ａを介して制御装置３０と第１無線通信を行う通信器である。第１通信部２１は、制御装置３０から起動要求情報を受信すると、第２通信部の起動要求を制御部２３へ出力する。
【００３４】
第２通信部２２は、アンテナ２２ａを介して公衆網１２を利用することでセルラー通信を行う通信器である。セルラー通信を行わない場合には、電力は第２通信部２２に供給されていない。第２通信部２２は、後述する制御部２３により起動されると、基地局１３との接続の準備といった公衆網１２との接続の準備に係る処理（接続準備処理）や、基地局１３に自装置の登録等を要求する在圏要求処理を行う。第２通信部２２は、公衆網１２との接続が完了すると、蓄積装置５０に蓄積されたサーバ装置４０からのメールを基地局１３を介して受信する。第２通信部２２は、受信したメールの本文に記載された通信情報の内容に応じた通話機能およびパケット通信機能のいずれかの機能を用いて、セルラー通信でサーバ装置４０と通信を行う。
【００３５】
これにより、第２通信部２２は、画像や音声といった、第１通信部２１で送受信されるデータよりも大きいデータを送受信することができるため、第１通信部２１よりも消費電力が大きい。
【００３６】
制御部２３は、通信装置２０の全体動作を制御する。制御部２３は、第１通信部２１から起動要求を受け取ると、第２通信部２２を起動、例えば第２通信部２２への電力の供給を開始する。
【００３７】
第２通信部２２と公衆網１２との接続が完了し、第２通信部２２が蓄積装置５０に蓄積されたサーバ装置４０からのメールを受信すると、制御部２３は、メールの本文に記載された通信情報の内容を解析する。具体的には、制御部２３は、電話番号情報およびアドレス情報のどちらが通信情報に記載されているかを確認する。
【００３８】
制御部２３は、解析結果に応じて、サーバ装置４０との第２無線通信を第２通信部２２に行わせる。例えば、通信情報に電話番号情報が記載されている場合には、制御部２３は、通話機能を用いて通信（通話）を第２通信部２２に行わせる。また、通信情報にアドレス情報が記載されている場合には、制御部２３は、パケット通信機能を用いて通信（パケット通信）を第２通信部２２に行わせる。
【００３９】
例えば、通話機能を利用する場合には、制御部２３は、電話番号情報で表される電話番号の呼び出し、つまりサーバ装置４０に対して発呼処理を、第２通信部２２に行わせる。サーバ装置４０との通信が確立すると、サーバ装置４０との音声データによる通信を第２通信部２２に行わせる。具体的には、制御部２３は、音声入力部２４から受け取った音声データを第２無線通信でサーバ装置４０に送信するように第２通信部２２を制御する。また、サーバ装置４０から送信された音声データを受信するように第２通信部２２を制御する。制御部２３は、サーバ装置４０から送信された音声データを、第２通信部２２を介して受け取ると、受け取った第２音声データを音声出力部２６へ出力する。
【００４０】
また、パケット通信機能を利用する場合には、制御部２３は、アドレス情報で表されるＩＰアドレス、つまりサーバ装置４０を宛先として、第２無線通信によるサーバ装置４０とのパケット通信を第２通信部２２に行わせる。例えば、制御部２３は、音声入力部２４から受け取った音声データや撮影部２５から受け取った画像データを第２無線通信でサーバ装置４０に送信するように第２通信部２２を制御する。また、制御部２３は、サーバ装置４０から送信された音声データおよび画像データを受信するように第２通信部２２を制御する。制御部２３は、サーバ装置４０で送信された音声データを、第２通信部２２を介して受け取ると、受け取った音声データを音声出力部２６へ出力する。制御部２３は、サーバ装置４０で送信された画像データを、第２通信部２２を介して受け取ると、受け取った画像データを表示部２７へ出力する。
【００４１】
音声入力部２４は、例えばマイクであり、住居者の音声が入力されると、入力された音声に基づく音声データを制御部２３へ出力する。
【００４２】
撮影部２５は、例えばカメラであり、撮影された画像（静止画像、動画像）に基づく画像データを制御部２３へ出力する。
【００４３】
音声出力部２６は、例えばスピーカであり、音声データに基づく音声を出力する。
【００４４】
表示部２７は、例えば液晶、ＥＬ（ｅｌｅｃｔｒｏｌｕｍｉｎｅｓｃｅｎｃｅ）等のディスプレイであり、画像データに基づく画像を出力する。
【００４５】
なお、通信装置２０は、音声入力部２４、撮影部２５、音声出力部２６および表示部２７を全て備える必要はない。例えば音声データの通信のみを行う場合には、通信装置２０は、音声入力部２４および音声出力部２６を備えていればよいし、画像データの通信のみを行う場合には、通信装置２０は、撮影部２５および表示部２７を備えていればよい。
【００４６】
（２）制御装置３０
制御装置３０は、図１に示すように、送受信部３１および第３通信部３２を備えている。
【００４７】
送受信部３１は、ＮＩＣ（Ｎｅｔｗｏｒｋ  Ｉｎｔｅｒｆａｃｅ  Ｃａｒｄ）を含んでおり、サーバ装置４０とネットワーク１１を介してデータの送受信を行う。具体的には、送受信部３１は、サーバ装置４０からセルラー通信開始指示を受信すると、受信したセルラー通信開始指示を第３通信部３２へ出力する。
【００４８】
第３通信部３２は、アンテナ３２ａを介して第１通信部２１と第１無線通信を行う無線器である。具体的には、第３通信部３２は、送受信部３１からセルラー通信開始指示を受け取ると、起動要求情報を第１通信部２１へ送信する。
【００４９】
（３）サーバ装置４０
サーバ装置４０は、自装置の利用者から通信装置２０および制御装置３０が設置された住宅の住居者の状況のチェックを開始する指示を受け付けると、ショートメールサービスを利用したメールを送信する。具体的には、サーバ装置４０は、宛先を通信装置２０とし、通信情報が本文に記載されたメールを、公衆網１２を介して送信する。
【００５０】
サーバ装置４０は、セルラー通信開始指示をネットワーク１１を介して制御装置３０へ送信する。
【００５１】
サーバ装置４０は、公衆網１２を介して通信装置２０と接続がされている場合には、公衆網１２を介して通信装置２０と、送信した通信情報の内容に応じた機能（通話機能およびパケット通信機能のいずれか）を利用した通信を行う。
【００５２】
（４）蓄積装置５０
蓄積装置５０は、メール（蓄積データ）を蓄積するための大容量の記憶装置を備えている。蓄積装置５０は、ショートメールサービスを利用して送信されたメールが宛先の装置で受信できない場合には、メールをメモリに蓄積する。蓄積装置５０は、宛先の装置を管理する基地局の要求により、蓄積されたメールを宛先の装置へ送信する。ここで、基地局による要求は、蓄積されたメールの宛先である装置がメールの受信が可能となった場合に蓄積装置５０へ送信される。
【００５３】
１．２  動作
（１）通信システム１０の動作
ここでは、サーバ装置４０が住居者の状況のチェックを開始する指示を受け付けた場合の通信システム１０の動作について、図２に示すシーケンス図を用いて説明する。
【００５４】
サーバ装置４０は、メール送信処理を行う（ステップＳ５）。具体的には、サーバ装置４０は、ショートメールサービスを利用して、宛先を通信装置２０とし、通信情報が本文に記載されたメールを公衆網１２を介して送信する。
【００５５】
サーバ装置４０は、セルラー通信開始指示をネットワーク１１を介して制御装置３０に送信する（ステップＳ１０）。
【００５６】
制御装置３０の第３通信部３２は、セルラー通信開始指示をサーバ装置４０から受け取ると、起動要求情報を通信装置２０へ送信する（ステップＳ１５）。
【００５７】
通信装置２０の第１通信部２１は、制御装置３０から起動要求指示を受け取ると、制御部２３へ起動要求を出力する（ステップＳ２０）。
【００５８】
制御部２３は、第１通信部２１から起動要求を受け取ると、第２通信部２２を起動する（ステップＳ２５）。
【００５９】
第２通信部２２は、公衆網１２との接続の準備に係る処理（接続準備処理）を行う（ステップＳ３０）。
【００６０】
第２通信部２２は、公衆網１２との接続準備が完了すると、起動完了通知を制御部２３を介して第１通信部２１へ出力する（ステップＳ３５，Ｓ４０）。
【００６１】
第２通信部２２は、在圏要求処理を行う（ステップＳ４５）。第２通信部２２は、在圏要求処理中に、蓄積装置５０に蓄積された、自装置宛のメールを受信する（ステップＳ５０）。
【００６２】
第２通信部２２は、在圏要求処理が完了すると、在圏要求処理が完了したことを示す在圏完了通知を制御部２３を介して第１通信部２１へ出力する（ステップＳ５５，Ｓ６０）。
【００６３】
制御部２３は、受信したメールに記載された通信情報の内容に応じた機能を利用して、通信処理を第２通信部２２に行わせる（ステップＳ６５）。通信処理とは、通話機能を用いた第２無線通信、およびパケット通信機能を用いた第２無線通信である。
【００６４】
（２）在圏要求処理中にメールを受信した場合の動作
ここでは、在圏要求処理中にメールを受信した場合の第２通信部２２の動作について、図３に示すシーケンス図を用いて説明する。
【００６５】
第２通信部２２は、基地局１３に在圏要求を送信する（ステップＳ１００）。
【００６６】
第２通信部２２と基地局１３とはコネクション確立の処理を行う（ステップＳ１０５）。
【００６７】
第２通信部２２と基地局１３との間のコネクションが確立すると、第２通信部２２と基地局１３とは相互認証を行う（ステップＳ１１０）。相互認証により、認証が成功すると、第２通信部２２と基地局１３との間の通信は、秘匿通信で行われる。
【００６８】
第２通信部２２は、基地局１３から在圏に係る処理が完了したことを示す在圏完了通知を受信する（ステップＳ１１５）。
【００６９】
第２通信部２２は、基地局１３からメールの着信があることを示すメール着信通知を受信すると（ステップＳ１２０）、メール着信通信を受信したことに対する応答（メール着信通知応答）を基地局１３に送信する（ステップＳ１２５）。
【００７０】
第２通信部２２は、メールの受信が完了すると、メールの受信が完了したことを示すメール受信完了通知を基地局１３に送信する（ステップＳ１３０）。
【００７１】
基地局１３は、メール受信完了通知を受信すると、メール受信完了通知を受信したことに対する応答（メール受信完了通知応答）を第２通信部２２へ送信する（ステップＳ１３５）。
【００７２】
第２通信部２２と基地局１３とはコネクション解放の処理を行う（ステップＳ１４０）。
【００７３】
１．３  変形例１
本変形例では、上述した動作と比較して、ショートメールサービスを利用したメールを送信するタイミングが異なる。
【００７４】
具体的には、サーバ装置４０は、セルラー通信開始指示を送信した後に、メールを送信する。この場合の、通信システム１０の動作を図４に示すシーケンス図を用いて、図２に示すシーケンス図と異なる点を中心に説明する。
【００７５】
サーバ装置４０は、セルラー通信開始指示をネットワーク１１を介して制御装置３０に送信する（ステップＳ１０）。
【００７６】
サーバ装置４０は、セルラー通信開始指示を送信した後、サーバ装置４０は、メール送信処理を行う（ステップＳ１３）。具体的には、サーバ装置４０は、ショートメールサービスを利用して、宛先を通信装置２０とし、通信情報が本文に記載されたメールを公衆網１２を介して送信する。
【００７７】
図４に示すステップＳ１５〜ステップＳ４０は、図２に示すステップＳ１５〜ステップＳ４０と同様であるので、ここでの説明は省略する。
【００７８】
第２通信部２２は、公衆網１２との接続準備が完了すると、在圏要求処理を行う（ステップＳ４５）。なお、本変形例では、第２通信部２２は、在圏要求処理中に、蓄積装置５０に蓄積された、自装置宛のメールを受信しない。
【００７９】
第２通信部２２は、在圏要求処理が完了すると、在圏要求処理が完了したことを示す在圏完了通知を制御部２３を介して第１通信部２１へ出力する（ステップＳ５５，Ｓ６０）。
【００８０】
第２通信部２２は、在圏中に、蓄積装置５０で蓄積されたサーバ装置４０からのメールの着信処理（メール着信処理）を行う（ステップＳ５８）。
【００８１】
制御部２３は、受信したメールに記載された通信情報の内容に応じた機能を利用して、通信処理を第２通信部２２に行わせる（ステップＳ６５）。
【００８２】
次に、在圏中に第２通信部２２で行われるメール着信処理について、図５に示すシーケンス図を用いて説明する。
【００８３】
基地局１３は、ページング情報により第２通信部２２を定期的に呼び出し、呼び出された第２通信部２２はコネクションを確立する（ステップＳ２００，Ｓ２０５）。
【００８４】
第２通信部２２と基地局１３との間のコネクションが確立すると、第２通信部２２と基地局１３とは相互認証を行う（ステップＳ２１０）。相互認証により、認証が成功すると、第２通信部２２と基地局１３との間の通信は、秘匿通信で行われる。
【００８５】
相互認証が成功した後、第２通信部２２は、ページング応答を基地局１３に送信する（ステップＳ２１５）。
【００８６】
第２通信部２２は、基地局１３からメール着信通知を受信すると（ステップＳ２２０）、メール着信通知応答を基地局１３に送信する（ステップＳ２２５）。
【００８７】
第２通信部２２は、メールの受信が完了すると、メール受信完了通知を基地局１３に送信する（ステップＳ２３０）。
【００８８】
基地局１３は、メール受信完了通知を受信すると、メール受信完了通知応答を第２通信部２２へ送信する（ステップＳ２３５）。
【００８９】
第２通信部２２と基地局１３とはコネクション解放の処理を行う（ステップＳ２４０）。
【００９０】
なお、本変形例では、通信装置２０は、在圏要求処理中にメールを受信しないとした。しかしながら、本変形例においても、通信装置２０は、在圏要求処理中に、蓄積装置５０に蓄積されたメールを受信する可能性がある。もし、通信装置２０が在圏要求処理中に、蓄積装置５０に蓄積されたメールを受信した場合には、その動作は、図３に示す動作となる。
【００９１】
また、メール送信処理を、セルラー通信開始指示を送信する前に行った場合であっても、在圏中にメールを受信する可能性がある。この場合の動作は、図５に示す動作となる。
【００９２】
また、本実施形態およびその変形例１において、通信装置２０は、電話番号を利用してサーバ装置４０と通信する場合には通話を行うとしたが、これに限定されない。通信装置２０は、電話番号を利用してサーバ装置４０と通信する場合、ショートメールサービスを用いた通信を行ってもよい。または、電話番号を利用してサーバ装置４０と通信する場合、通話による通信を行うか、ショートメールサービスを用いた通信を行うかを、サーバ装置４０が指定してもよい。この場合、例えば、メールの本文に通話による通信を行うか、ショートメールサービスを用いた通信を行うかを識別する識別情報が記載されている。通信装置２０は、通信情報に電話番号情報が記載されている場合には、識別情報の内容に応じて、通話による通信を行うか、ショートメールサービスを用いた通信を行うかを選択する。
【００９３】
２  実施形態２
実施形態１では第２通信部２２の通信先をメールの送信元としたが、本実施形態では第２通信部２２の通信先をメールの送信元とは異なる装置とする点が、実施形態１とは異なる。
【００９４】
なお、本実施形態では、実施形態１と同様の構成要素には同一の符号を付して説明を適宜省略する。
【００９５】
２．１  構成および動作
図６は、本実施形態の通信システム１０の構成の一例を示す図である。本実施形態の通信システム１０では、実施形態１で示す構成に加えて、さらに監視装置４１を備える。本実施形態では、通信装置２０は、サーバ装置４０および監視装置４１のいずれかを通信相手である第２装置として第２無線通信による通信を行う。サーバ装置４０を通信相手とした場合は、第２経路１６は、公衆網１２を介した通信装置２０からサーバ装置４０までの経路である（図６参照）。監視装置４１を通信相手とした場合は、第２経路１６は、公衆網１２を介した通信装置２０から監視装置４１までの経路である（図６参照）。
【００９６】
以下、本実施形態の通信システム１０について、実施形態１と異なる点を中心に説明する。ここでは、サーバ装置４０を第２無線通信の通信相手（第２装置）とする場合には、実施形態１と同様であるため、ここでの説明は省略する。以下、監視装置４１を第２無線通信の通信相手（第２装置）とする場合について説明する。
【００９７】
まず、サーバ装置４０がショートメールサービスを利用して送信するメールに記載される通信情報の内容が、実施形態１とは異なる。
【００９８】
本実施形態の通信情報は、サーバ装置４０とは異なる装置、例えば図６に示す監視装置４１の電話番号を表す電話番号情報およびサーバ装置４０のＩＰアドレスを表すアドレス情報のいずれかである。
【００９９】
通信装置２０の制御部２３は、第２通信部２２が起動し、蓄積装置５０に蓄積されたメールを受信する。通信装置２０は、通信処理開始時に、メールに記載された通信情報を用いて、通信先および通話機能およびパケット通信機能のうち使用する機能を特定する。
【０１００】
制御部２３は、特定した機能を利用して、特定した通信先と通信を行う。
【０１０１】
監視装置４１は、公衆網１２を介して通信装置２０と、セルラー通信で通信可能な装置である。これにより、監視装置４１と通信装置２０とは、公衆網１２を介して、画像や音声といったデータ通信が可能となる。
【０１０２】
本実施形態の通信システム１０の動作は、セルラー通信を用いた通信の相手が、実施形態１と異なるのみである。そのため、メール送信処理およびセルラー通信開始指示の送信が行われてから、通信処理が開始されるまでの動作は、実施形態１（図２、図４参照）と同じであるので、本実施形態の通信システム１０の全体動作については、説明を省略する。
【０１０３】
ここでは、図２、図４のステップＳ６５に示す通信処理の詳細について、図７に示す流れ図を用いて説明する。
【０１０４】
制御部２３は、蓄積装置５０から受信したメールに記載された通信情報の内容に基づいて、通信種別を特定する（ステップＳ３００）。ここで、通信種別とは、セルラー通信で利用する通信方法であり、ここでは、通話およびパケット通信のいずれかを示す。具体的には、制御部２３は、通信情報に記載された内容が電話番号情報であるのかアドレス情報であるのかを判別する。制御部２３は、通信情報に記載された内容が電話番号情報であると判別した場合には、通信種別を通話と特定し、通信情報に記載された内容がアドレス情報であると判別した場合には、通信種別をパケット通信と特定する。
【０１０５】
制御部２３は、通信先を特定する（ステップＳ３０５）。具体的には、制御部２３は、通信情報に記載された内容が電話番号情報である場合には、電話番号情報で表される電話番号を通信先として特定する。通信情報に記載された内容がアドレス情報である場合には、アドレス情報で表されるＩＰアドレスを通信先として特定する。
【０１０６】
制御部２３は、特定した通信種別で、特定した通信先との間でデータの送受信を第２通信部２２に行わせる（ステップＳ３１０）。具体的には、制御部２３は、通信種別が通話である場合には、通話機能を利用して、通信先である電話番号の装置（監視装置４１）との第２無線通信を第２通信部２２に行わせる。制御部２３は、通信種別がパケット通信である場合には、パケット通信機能を利用して、通信先であるＩＰアドレスを有する装置（監視装置４１）との第２無線通信を第２通信部２２に行わせる。
【０１０７】
制御部２３は、通信が終了したか否かを判断する（ステップＳ３１５）。
【０１０８】
終了したと判断する場合には（ステップＳ３１５における「Ｙｅｓ」）、処理は終了する。
【０１０９】
終了していないと判断する場合には、（ステップＳ３１５における「Ｎｏ」）、処理は、ステップＳ３１０に戻り、通信を継続する。
【０１１０】
２．２  変形例１
本変形例では、制御装置３０がショートメールサービスを用いたメールの送信を行う。
【０１１１】
図８は、本変形例の通信システム１０の構成の一例を示す図である。本変形例の通信システム１０では、制御装置３０の構成が異なる。
【０１１２】
本変形例の制御装置３０は、図８に示すように、送受信部３１、第３通信部３２および第４通信部３３を備えている。
【０１１３】
送受信部３１は、セルラー通信開始指示と、セルラー通信で通信装置２０へ送信するメールとをサーバ装置４０から受信する。送受信部３１は、受信したセルラー通信開始指示を第３通信部３２へ、受信したメールを第４通信部３３へそれぞれ出力する。
【０１１４】
第３通信部３２は、送受信部３１からセルラー通信開始指示を受け取ると、メール送信指示を第４通信部３３へ出力する。第３通信部３２は、第４通信部３３からメール送信が完了したことを示す送信完了通知を受信すると、起動要求情報を第１通信部２１へ送信する。
【０１１５】
第４通信部３３は、アンテナ３３ａを介して公衆網１２を利用することでセルラー通信を行う通信器である。第４通信部３３は、商用電源から常時電力の供給を受けている。第４通信部３３は、送受信部３１からメールを、第３通信部３２からメール送信指示をそれぞれ受け取ると、ショートメールサービスを利用して、受け取ったメールを通信装置２０を宛先として送信する。このとき通信装置２０はメールを受信する状態ではないので、送信されたメールは蓄積装置５０に蓄積される。なお、本変形例では、メールに記載される通信情報で特定される通信の相手先は、サーバ装置４０および監視装置４１のいずれかである。
【０１１６】
第４通信部３３は、メールの送信が完了すると送信完了通知を第３通信部３２へ出力する。
【０１１７】
次に、本変形例の通信システム１０の動作について、図９に示すシーケンス図を用いて、図２に示すシーケンス図と異なる点を中心に説明する。
【０１１８】
制御装置３０がサーバ装置４０からセルラー通信開始指示をネットワーク１１を介して受信すると、第４通信部３３は、メール送信処理を行う（ステップＳ４００）。具体的には、第４通信部３３は、ショートメールサービスを利用して、宛先を通信装置２０とし、通信情報が本文に記載されたメールを公衆網１２を介して送信する。
【０１１９】
メール送信処理が完了すると、第３通信部３２は、起動要求情報を送信する（ステップＳ１５）。
【０１２０】
以降、図９に示すステップＳ２０〜ステップＳ６５の動作は、図２に示すステップＳ２０〜ステップＳ６５の動作と同じであるので、ここでの説明は省略する。
【０１２１】
また、在圏処理中にメールを受信した場合の第２通信部２２の動作は、図３に示すシーケンス図と同様であるので、ここでの説明は省略する。また、在圏中にメールを受信する場合があるが、この場合の動作は、図５に示すシーケンス図で実現できるので、ここでの説明は省略する。
【０１２２】
なお、本変形例では、図９に示すステップＳ４００のメール送信処理は、起動要求情報が送信される前に行われたが、これに限定されない。更なる変形例として、メール送信処理は、実施形態１の変形例１と同様に、起動要求情報が送信された後に行われてもよい。
【０１２３】
この場合、第３通信部３２は、送受信部３１からセルラー通信開始指示を受け取ると、起動要求情報を第１通信部２１へ送信し、その後メール送信指示を第４通信部３３へ出力する。また、更なる変形例の動作については、図９において、ステップＳ４００がステップＳ１５の後に実行されることで、実現できるので、ここでの説明は省略する。
【０１２４】
さらに、更なる変形例において、第２通信部２２が、在圏中にメールを受信する場合があるが、メール受信に係る動作は、図５に示すシーケンス図で実現できるので、ここでの説明は省略する。
【０１２５】
なお、本実施形態およびその変形例１では、制御装置３０とサーバ装置４０とは、それぞれ個別の装置としたが、これに限定されない。制御装置３０とサーバ装置４０とを１つの装置としてもよい。この場合、制御装置３０と第２装置とは、バスで接続され、相互間でデータの送受信が可能となっている。
【０１２６】
また、実施形態２の変形例１で示す制御装置３０を、実施形態１に適用してもよい。
【０１２７】
また、本実施形態およびその変形例１において、通信装置２０は、電話番号を利用して監視装置４１と通信する場合には通話を行うとしたが、これに限定されない。通信装置２０は、電話番号を利用して監視装置４１と通信する場合、ショートメールサービスを用いた通信を行ってもよい。または、電話番号を利用して監視装置４１と通信する場合、通話による通信を行うか、ショートメールサービスを用いた通信を行うかを、サーバ装置４０が指定してもよい。この場合、例えば、メールの本文に通話による通信を行うか、ショートメールサービスを用いた通信を行うかを識別する識別情報が記載されている。通信装置２０は、通信情報に電話番号情報が記載されている場合には、識別情報の内容に応じて、通話による通信を行うか、ショートメールサービスを用いた通信を行うかを選択する。
【０１２８】
３  その他の変形例
以上、実施形態１および実施形態２に基づいて本発明について説明したが、本発明は上述した実施形態に限られない。例えば、以下のような変形例が考えられる。
【０１２９】
（１）上記各実施形態の第２通信部２２は、セルラー機能を備え、公衆網１２に直接接続したが、これに限定されない。
【０１３０】
第２通信部２２は、通信装置２０と基地局１３との間に存在する無線中継器を介して公衆網１２に接続してもよい。このとき、第２通信部２２は、無線中継器と通信速度が高速な無線通信により通信を行う。
【０１３１】
また、第２通信部２２が無線中継器を介して通信を行う場合、第２通信部２２は、公衆網１２としてインターネット等のネットワークを利用し、制御装置３０を介在することなくサーバ装置４０と通信を行ってもよい。
【０１３２】
（２）上記各実施形態において、制御部２３は、起動要求を受け取ると、第２通信部２２に電力の供給を開始することで、第２通信部２２の起動を行ったが、これに限定されない。
【０１３３】
第２通信部２２はスリープ状態となっており、制御部２３は、起動要求を受け取ると、第２通信部２２のスリープ状態を解除することで、第２通信部２２の起動を行ってもよい。
【０１３４】
（３）上記各実施形態において、サーバ装置４０は、第２通信部２２が起動される前に、ショートメールサービスを利用して通信装置２０宛にメールを送信したが、これに限定されない。
【０１３５】
サーバ装置４０は、パケット通信を利用するメールサービスを利用してもよい。つまり、サーバ装置４０から送信されるメールが、公衆網１２を介して接続可能な装置に一旦蓄積されるメールサービスであればよい。
【０１３６】
（４）上記各実施形態において、通信情報は、メールの本文に記載されるとしたが、これに限定されない。
【０１３７】
通信情報は、メールのヘッダ部に記載されてもよい。
【０１３８】
（５）上記各実施形態では、セルラー通信で通信装置２０に送信されるメールには通信情報が記載されるとしたが、これに限定されない。
【０１３９】
セルラー通信で通信装置２０に送信されるメールには、公衆網１２を利用する通信を提供する提供者と自装置の利用者との間で交わされた自装置に対する契約内容の変更を示す契約変更情報が記載されてもよい。
【０１４０】
（６）上記実施形態および変形例を組み合わせてもよい。
【０１４１】
４．まとめ
以上説明したように、通信装置２０は、第１通信部２１と、第２通信部２２と、制御部２３とを備えることを特徴とする。第１通信部２１は、第１装置（制御装置３０）が介在する第１経路１５で第１無線通信を行う。第２通信部２２は、公衆網１２を利用した経路であって、第１経路１５とは異なる第２経路１６で第２装置（サーバ装置４０または監視装置４１）と、第１無線通信よりも高速にデータの送受信が可能な第２無線通信を行う。制御部２３は、第１装置から送信された起動要求信号が第１通信部２１で受信されると、第２通信部２２を起動する。制御部２３は、第２通信部２２が、起動後、蓄積装置５０に蓄積された蓄積データを受信すると、第２経路１６で蓄積データの内容に応じて第２装置との第２無線通信を第２通信部２２に行わせる。
【０１４２】
この構成によると、通信装置２０の第２通信部２２は、第２通信部２２が起動すると蓄積データを受信するので、その解釈は第２通信部２２のみで行われる。そのため、通信装置２０は、停止していた通信機能（第２通信部２２）を起動させた後、即座に通信を行うことができる。
【０１４３】
ここで、制御部２３は、蓄積データの送信元を第２装置として、第２無線通信を第２通信部２２に行わせることが好ましい。
【０１４４】
この構成によると、通信装置２０は、蓄積データの送信元と、第２無線通信で通信を行うことができる。
【０１４５】
ここで、蓄積データは、第２通信部２２で行われる第２無線通信の通信種別および通信先を特定するための通信情報を含んでおり、制御部２３は、通信情報の内容を解析して通信種別および通信先を特定することが好ましい。
【０１４６】
この構成によると、通信装置２０は、第２無線通信の開始前に、第２無線通信で利用する通信種別を選択することができる。
【０１４７】
ここで、制御部２３は、通信情報に通信先のＩＰアドレスを表すアドレス情報が含まれている場合には、通信先を前記アドレス情報で表されるＩＰアドレスとし、通信種別をパケット通信とすることが好ましい。
【０１４８】
この構成によると、通信装置２０は、アドレス情報で表されるＩＰアドレスを通信先として、パケット通信を行うことができる。
【０１４９】
ここで、制御部２３は、通信情報に通信先の電話番号を表す電話番号情報が含まれている場合には、通信先を電話番号情報で表される電話番号とし、通信種別をショートメールサービスによるメール通信とすることが好ましい。
【０１５０】
この構成によると、通信装置２０は、電話番号情報で表される電話番号を通信先として、メール通信を行うことができる。
【０１５１】
ここで、制御部２３は、通信情報に通信先の電話番号を表す電話番号情報が含まれている場合には、通信先を電話番号情報で表される電話番号とし、通信種別を音声通話とすることが好ましい。
【０１５２】
この構成によると、通信装置２０は、電話番号情報で表される電話番号を通信先として、通話を行うことができる。
【０１５３】
ここで、蓄積データは、自装置に関する契約内容の変更を示す契約変更情報を含み、制御部２３は、契約変更情報に基づいて、契約内容を変更することが好ましい。
【０１５４】
この構成によると、通信装置２０は、契約変更情報を用いて契約内容を変更することができる。
【０１５５】
また、通信システム１０は、上記いずれかの通信装置２０と、制御装置３０とを備えることを特徴とする。
【０１５６】
この構成によると、通信システム１０は、停止していた通信機能（第２通信部２２）を起動させた後、即座に通信を行うことができる。
【０１５７】
また、通信方法は、第１通信部２１と第２通信部２２とを用いた通信処理を行う。第１通信部２１は、第１装置（制御装置３０）が介在する第１経路１５で第１無線通信を行う。第２通信部２２は、公衆網１２を利用した経路であって、第１経路１５とは異なる第２経路１６で第２装置（サーバ装置４０または監視装置４１）と、第１無線通信よりも高速にデータの送受信が可能な第２無線通信を行う。通信処理は、第１装置から送信された起動要求信号が第１通信部２１で受信されると、第２通信部２２を起動する。通信処理は、第２通信部２２が、起動後、蓄積装置５０に蓄積された蓄積データを受信すると、第２経路１６で蓄積データの内容に応じて第２装置との第２無線通信を第２通信部に行わせる。
【０１５８】
この通信方法によると、停止していた通信機能（第２通信部２２）を起動させた後、即座に通信を行うことができる。
【０１５９】
また、プログラムは、第１通信部２１と第２通信部２２に付随するコンピュータに制御部２３を実現させるためのプログラムである。第１通信部２１は、第１装置（制御装置３０）が介在する第１経路１５で第１無線通信を行う。第２通信部２２は、公衆網１２を利用した経路であって、第１経路１５とは異なる第２経路１６で第２装置（サーバ装置４０または監視装置４１）と第１無線通信よりも高速にデータの送受信が可能な第２無線通信を行う。制御部２３は、第１装置から送信された起動要求信号が第１通信部２１で受信されると、第２通信部２２を起動する。制御部２３は、第２通信部２２が、起動後、蓄積装置５０に蓄積された蓄積データを受信すると、第２経路１６で蓄積データの内容に応じて第２装置との第２無線通信を第２通信部２２に行わせる。
【０１６０】
このプログラムによると、停止していた通信機能（第２通信部２２）を起動させた後、即座に通信を行うことができる。
【符号の説明】
【０１６１】
１０    通信システム
１２    公衆網
１５    第１経路
１６    第２経路
２０    通信装置
２１    第１通信部
２２    第２通信部
２３    制御部
３０    第１装置
４０    サーバ装置（第２装置）
４１    監視装置（第２装置）
５０    蓄積装置
【図１】
0006403050.tif 000002
【図２】
0006403050.tif 000003
【図３】
0006403050.tif 000004
【図４】
0006403050.tif 000005
【図５】
0006403050.tif 000006
【図６】
0006403050.tif 000007
【図７】
0006403050.tif 000008
【図８】
0006403050.tif 000009
【図９】
0006403050.tif 000010